(57)【要約】【課題】アナログ放送が廃止されると、ユーザがデジタル放送のチャンネルスキャンを実施しない限り、選局できる放送がなくなったり、選局できるはずの放送を取り損ねてしまったりする場合がある。【解決手段】アナログ放送廃止検知部６にてアナログ放送が廃止されたことを検知すると、デジタル放送チャンネルスキャン実行部７にてデジタル放送のチャンネルスキャンをユーザの操作なしに自動で実施し、そのチャンネルスキャン実行結果をユーザに通知するようにした。【選択図】図１
2007295474.tif 000002
【特許請求の範囲】
【請求項１】
アナログ放送の廃止を検知するアナログ放送廃止検知部と、このアナログ放送廃止検知部がアナログ放送の廃止を検知すると、その検知信号に基づいてデジタル放送のチャンネルスキャンを実行するデジタル放送チャンネルスキャン実行部とを備え、前記デジタル放送チャンネルスキャン実行部によるチャンネルスキャンの実行結果を表示して通知するようにしたテレビ受信機。
【請求項２】
放送された映像を表示するための表示部を有し、チャンネルスキャンの実行結果を前記表示部に表示するようにしたことを特徴とする請求項１記載のテレビ受信機。
【請求項３】
メール送信のためのメール機能部を有し、チャンネルスキャンの実行結果を前記メール機能部で通知するようにしたことを特徴とする請求項１記載のテレビ受信機。
【発明の詳細な説明】
【技術分野】
【０００１】
この発明は、アナログ放送とデジタル放送の両方が受信できるテレビ受信機に係り、特にアナログ放送が廃止された時のデジタル放送チャンネルスキャンに関するものである。
【背景技術】
【０００２】
現在は地上アナログ放送と地上デジタル放送の両方が放送されているが、２０１１年には地上アナログ放送は廃止されることが決定されている。したがって現在販売されているテレビ受信機は、地上アナログ放送用のチューナと地上デジタル放送用のチューナの両方が搭載されているものが大部分である。従来のこのようなテレビ受信機においては、地上アナログ放送が廃止されたことを自動検知して、地上アナログ放送用の信号処理部への電源供給を停止し、節電を図るようにしたものが知られている。(例えば、特許文献１参照)。
【特許文献１】特開２００６−５７８５号公報
【発明の開示】
【発明が解決しようとする課題】
【０００３】
従来のテレビ受信機では、視聴者であるユーザがデジタル放送のチャンネルスキャンの方法をわからなかったり、チャンネルスキャンを実施し忘れていたり、チャンネルスキャンを実施していたとしてもその後新たにデジタル放送を開始した放送局があった場合、アナログ放送が廃止されると、ユーザが改めてチャンネルスキャンを実施しない限り、選局できる放送がなくなったり、選局できる放送を取り損ねている状態が続いてしまう。
【０００４】
この発明は、このような課題を解決するためのもので、アナログ放送の廃止を検知し、それをトリガとしてデジタル放送のチャンネルスキャンをユーザの操作なしに自動で実施することにより、選局できる放送がなくなったり、放送を取り損ねている状態を回避するテレビ受信機を提供することを目的としている。
【課題を解決するための手段】
【０００５】
この発明に係るテレビ受信機は、アナログ放送の廃止を検知するアナログ放送廃止検知部と、このアナログ放送廃止検知部がアナログ放送の廃止を検知すると、その検知信号に基づいてデジタル放送のチャンネルスキャンを実行するデジタル放送チャンネルスキャン実行部とを備え、デジタル放送チャンネルスキャン実行部によるチャンネルスキャンの実行結果を表示して通知するようにした構成とする。
【発明の効果】
【０００６】
この発明により、ユーザがデジタル放送のチャンネルスキャンの方法をわからなかったり、チャンネルスキャンを実施し忘れていたり、チャンネルスキャン実施後に新たにデジタル放送を開始した放送局があった場合も、アナログ放送廃止後、選局できる放送がなくなったり、放送を取り損ねていたりする、ユーザにとって不利益な状態をユーザの操作なしにチャンネルスキャンを実施することで回避することができる。
【発明を実施するための最良の形態】
【０００７】
実施の形態１
この発明の実施の形態１について図を参照しながら以下説明する。
図１はこの発明のテレビ受信機の実施例における概略構成を示すブロック図であり、アナログ放送受信機能とデジタル放送受信機能の両機能を備えたアナログ・デジタル放送受信機１と液晶パネルやプラズマパネルなどの表示部２からなっている。この表示部２は図示ではアナログ・デジタル放送受信機１とは別の表示機器とする構成にしているが、アナログ・デジタル放送受信機１に内蔵されていても良い。
【０００８】
またアナログ・デジタル放送受信機１にはアナログ放送受信処理部３とデジタル放送受信処理部４とコントローラ５が設けられている。更にアナログ放送受信処理部３には、アナログチューナや信号を増幅及び復調する回路（図示せず）などの他に、アナログ放送廃止検知部６が設けられている。デジタル放送受信処理部４には、デジタルチューナや信号を増幅及び復調する回路（図示せず）などの他に、デジタル放送チャンネルスキャン実行部７とユーザ通知部８とメール機能部１２が設けられている。コントローラ５はＣＰＵなどで構成され、アナログ・デジタル放送受信機１の各種制御、調整および設定に必要な機能を実施する。アナログ・デジタル放送受信機１には受信機スイッチ９が設けられ、電源スイッチのオンオフ、チャンネル切替、音声・映像の調整および受信に必要な設定などが行えるようになっている。またリモコン１０も受信機スイッチ９と同様な機能を持っており、アナログ・デジタル放送受信機１を遠隔で制御できるようになっている。コントローラ５には受信機スイッチ９或いはリモコン１０からの操作信号が入力され、前記したような各種制御、調整および設定を行う。アナログ放送受信処理部３とデジタル放送受信処理部４にはアンテナ１１で受信した放送信号が入力されるようになっている。
図１において、アンテナ１１で受信されたアナログ放送は、アナログ放送受信処理部３において、映像と音声の分離などの処理が行われ、表示部２にて映像表示される。同様にアンテナ１１で受信されたデジタル放送は、デジタル放送受信処理部４において復号され、ＥＰＧ（電子番組表）などに使用されるデータが取り出されたり、映像が取り出されて表示部２にて映像表示されたりする。
【０００９】
アナログ放送廃止検知部６は、アナログ信号の廃止を検知するために設けられており、アナログ放送の検知方法としては、特許文献１の４ページ２８行から５ページ２５行に記載されているように、１）メニュー操作によるユーザからの手動設定、２）放送局から送信されるチャンネルマップ情報の変更を検知する方法、３）定期的なアナログ放送のチャンネルスキャンで放送が見つかるか否かで判断する方法、４）所定の日数内でアナログ放送の視聴があったかどうかの視聴履歴情報を基にする方法等が挙げられる。
デジタル放送チャンネルスキャン実行部７は、コントローラ５によって制御され、デジタル放送のチャンネルスキャンを実行する。ユーザが手動でデジタル放送のチャンネルスキャンを実施する場合、受信機スイッチ９やリモコン１０を使用して、表示部２の画面上に表示されるメニュー上でテレビ受信機を設置している地域名や郵便番号といった地域情報の選定といった操作を行い、それを受けてコントローラ５がチャンネルスキャン実行部７に対してチャンネルスキャンの実行指示を送信することで実施される。このときチャンネル設定が自動設定の場合、テレビ受信機がチャンネルスキャンによって選局できるようになった放送とチャンネル番号の設定を行う。チャンネル設定を手動設定にできる場合、ユーザが表示部２の画面上に表示されるメニューを受信機スイッチ９やリモコン１０を使用して操作し、良く見る放送を好きなチャンネル番号に設定することができる。
【００１０】
ユーザ通知部８は、視聴者であるユーザに対し、アナログ放送廃止時に実行されるデジタル放送チャンネルスキャンの実行結果や実行記録であるメッセージを、表示部２の画面上に表示することで通知したり、前述のメール機能を利用して、受信機から送信されるメールとしてユーザに対しデジタル放送チャンネルスキャンの実行結果や実行記録であるメッセージを通知する。
メール機能部１２は、デジタル放送受信処理部４において、デジタル放送波に載せられて放送局から送られてくるお知らせや番組情報などといったメールを受信し、表示部２の画面に表示されるメニュー上で見れるようにしている。同様に予約録画失敗時など、何か受信機からユーザに対しメッセージを送信する場合は、受信機自身からメールという形で送信されたメッセージを受信して表示部２の画面に表示されるメニュー上で見ることができるようにしている。なお、このようなメール機能は周知の技術であるため、これ以上の詳細な説明は省略する。
【００１１】
なお、実施の形態として地上アナログ放送と地上デジタル放送について記述するが、この発明におけるアナログ放送、デジタル放送はそれに限ったことではない。
【００１２】
図２はユーザが地上デジタル放送のチャンネルスキャンの方法をわからなかったり、チャンネルスキャンの実施を忘れているために選局できる地上デジタル放送がなく、地上アナログ放送放送廃止後、選局できる放送がなくなる場合の実施の形態を表すフローチャートである。
【００１３】
図２において、ステップ２０１のように、ユーザが地上デジタル放送のチャンネルスキャンの方法がわからなかったり、チャンネルスキャンの実施をずっと忘れていると、ステップ２０２のように、選局できるデジタル放送がない状態が続いているということになり、ステップ２０３へ進む。
ステップ２０３はアナログ放送受信処理部３のアナログ放送廃止検知部６が定常的にアナログ放送の廃止を検知していることを示し、ステップ２０４のようにアナログ放送が廃止されていない状態の場合、再びステップ２０３に戻る。
【００１４】
ステップ２０３で地上アナログ放送の廃止が検知される、つまり地上アナログ放送が廃止となってしまうと、ステップ２０５のようにユーザにとって選局できる放送が地上アナログ放送も地上デジタル放送もない状態になってしまうが、ステップ２０６においてアナログ放送廃止検知部６から検知信号がコントローラ５に送信され、ステップ２０７にてコントローラ５からデジタル放送チャンネルスキャン実行部７に地上デジタル放送チャンネルスキャンの実施指示が送信され、ステップ２０８にて地上デジタル放送のチャンネルスキャンが実行される。
【００１５】
ただし、地上デジタル放送のチャンネルスキャンが実行されてもステップ２０９にて、チャンネルスキャン実行結果を受けたコントローラ５が受信可能な地上デジタル放送の放送がないとした場合、選局可能な地上デジタル放送はないものとしてこの処理は終わる。
なお、地上アナログ放送の廃止の検知方法がメニュー操作によるユーザからの手動設定であった場合、ユーザの設定を受けたコントローラ５がアナログ放送廃止検知部６へ設定を送信し、それを受けたアナログ放送廃止検知部６から検知信号がコントローラ５に送信され、検知信号を受けたコントローラ５がデジタル放送チャンネルスキャン実行部７に地上デジタル放送チャンネルスキャンの実施指示を送信し、チャンネルスキャンが実行されることとなる。
【００１６】
チャンネルスキャン実行により、ステップ２０９にて選局できる地上デジタル放送があった場合、地上デジタル放送のチャンネルスキャンが実施されたことをユーザが認識しなければ選局されないため、ステップ２１０では、コントローラ５はチャンネルスキャン実行結果をユーザ通知部８に送り、ユーザ通知部８は表示部２の画面上に図３に示すように、選曲できる放送局名やそれに対応するリモコン１０のチャンネルボタンなどを記載した画面表示でユーザに通知する。
また、ステップ２１０では、デジタル放送受信処理部４が持つ前述のメール機能部１２のメールを利用してユーザに通知するようにしても良い。つまりユーザ通知部８よりコントローラ５を介してメール機能部１２に対して地上デジタル放送のチャンネルスキャン実行結果が送信され、それを受けたメール機能部１２は受信機からのメールとして発行し、ユーザはそのメールを表示部２の画面に表示されるメニュー上で見ることによって、地上デジタル放送のチャンネルスキャンが実施されて選局できる放送があることを知ることができる。
【００１７】
ステップ２１１にて手動でチャンネル設定を行えるように設定している場合、ユーザはステップ２１０で示された通知をもとに、ステップ２１２にてよく見る放送を好きなチャンネル番号に設定することができる。チャンネル設定を手動ではなく自動設定としている場合は、テレビ受信機が設定したチャンネル番号にて選局することができる。
こうしてステップ２１３では、ユーザはアナログ放送廃止後、これまで選局できていなかった地上デジタル放送を選局できる状態になる。
なお、これまで記載したステップ２０１、２０２、２０４、２０５および２１３はそれぞれの状態をステップと称しているだけで、判断したり、検知したりしてステップが進むものではない。
【００１８】
実施の形態２
図４はユーザによる地上デジタル放送のチャンネルスキャン実施後に、テレビ受信機の設置してある地域で新たに開始された地上デジタル放送があるために、その放送を取り損なってしまっている可能性が高い場合の実施の形態を示すフローチャートである。なお、この実施の形態２におけるテレビ受信機の概略構成は図１に示すブロック図と同じにつき、その説明は省略する。
【００１９】
図４において、ステップ３０１のように、ユーザが地上デジタル放送のチャンネルスキャンを実施していても、その後、テレビ受信機の設置されている地域で新たに開始された地上デジタル放送があると、ステップ３０２のようにユーザにとって、取り損なっている地上デジタル放送がある可能性が高い状態となってしまい、ステップ３０３へ進む。
【００２０】
ステップ３０３は実施の形態１と同様に、アナログ放送受信処理部３のアナログ放送廃止検知部６が定常的にアナログ放送の廃止を検知していることを示し、ステップ３０４のようにアナログ放送が廃止されていない状態の場合、再びステップ３０３に戻る。このステップ３０３にて地上アナログ放送の廃止が検知されると、ステップ３０５においてアナログ放送廃止検知部６から検知信号がコントローラ５に送信され、ステップ３０６においてコントローラ５からデジタル放送チャンネルスキャン実行部７に地上デジタル放送チャンネルスキャンの実施指示が送信され、ステップ３０７にて地上デジタル放送のチャンネルスキャンが実行される。ステップ３０７の地上デジタル放送のチャンネルスキャン実行結果を受けたコントローラ５は、ステップ３０８にてユーザが実施した前回のチャンネルスキャン結果と比較し、新たに選局できる放送があるか判断する。もし新たに選局できる放送がなかった場合は、ステップ３１２のように取り損ねている放送はない状態であるとしてこの処理を終了する。
【００２１】
ステップ３０８にて新たに選局できる地上デジタル放送がある場合、ユーザがそれを認識しなければ選局されないため、ステップ３０９ではコントローラ５がチャンネルスキャンの実行結果を実施の形態１と同様に、表示部２の画面上に表示したり、メール機能を利用して受信機からのメールとしてユーザに通知する。その通知により、ユーザは新たに選局できる地上デジタル放送ができたことを知ることができる。
【００２２】
ステップ３１０にて手動でチャンネル設定を行えるように設定している場合、ユーザはステップ３０９で示された通知をもとに、ステップ３１１にて新たに放送を好きなチャンネル番号に設定することができる。チャンネル設定を手動ではなく自動設定としている場合は、テレビ受信機が設定したチャンネル番号にてその放送を選局することができる。
こうしてステップ３１２では、ユーザはアナログ放送廃止後、取り損ねている地上デジタル放送はないという状態になることができる。
なお、これまで記載したステップ３０１、３０２、３０４および３１２はそれぞれの状態をステップと称しているだけで、判断したり、検知したりしてステップが進むものではない。
【図面の簡単な説明】
【００２３】
【図１】この発明の実施の形態１を示すテレビ受信機の概略構成を示すブロック図で      ある。
【図２】選局できる放送がなくなる場合の実施の形態１の動作を示すフローチャート      である。
【図３】ユーザに通知されるチャンネルスキャン実行結果の表示例である。
【図４】取り損ねた放送がある場合の実施の形態２の動作を示すフローチャートであ      る。
【符号の説明】
【００２４】
１  アナログ・デジタル放送受信機
２  表示部
３  アナログ放送受信処理部
４  デジタル放送受信処理部
５  コントローラ
６  アナログ放送廃止検知部
７  デジタル放送チャンネルスキャン実行部
８  ユーザ通知部
９  受信機スイッチ
１０  リモコン
１１  アンテナ
１２  メール機能部
【図１】
2007295474.tif 000003
【図２】
2007295474.tif 000004
【図３】
2007295474.tif 000005
【図４】
2007295474.tif 000006